(57)【特許請求の範囲】
【請求項１】
多回投与操作分の粉末薬剤を貯蔵可能な薬剤貯蔵室（５ａ）と該薬剤貯蔵室（５ａ）底面の下部に設けた単回投与操作分の粉末薬剤を収容可能な単一の薬剤収容部（５ｂ）とを樹脂で一体成形して構成した装置本体（１）と、
前記薬剤貯蔵室（５ａ）の底面との間で接触を保ちつつ充填位置と投与位置との間を移動可能で、充填位置にて開口手段（２ｆ）により前記薬剤収容部（５ｂ）を前記薬剤貯蔵室（５ａ）に対して開口し、投与位置にて前記薬剤収容部（５ｂ）を前記薬剤貯蔵室（５ａ）に対して閉鎖すると共に管（２ｇ，２ｄ）を介して前記薬剤収容部（５ｂ）を装置の外部へ連通させる薬剤導出部（２）と、
該薬剤導出部（２）を充填位置と投与位置との間で移動させるための、装置外部より操作する手段（13）と、
前記薬剤収容部（５ｂ）の底部に設けたフィルター（６）を介して該薬剤収容部に空気を送り込むことのできるポンプ部（３）と、を具備し、
前記薬剤導出部（２）は、充填位置にあるとき前記薬剤貯蔵室（５ａ）内の粉末薬剤が前記開口手段を介して前記薬剤収容部（５ｂ）内に充填可能とし、充填位置から投与位置へ移動する際、該薬剤収容部（５ｂ）内の粉末薬剤が単回投与操作分に摩り切り計量し、投与位置にて、前記ポンプ部（３）を操作することにより前記薬剤収容部（５ｂ）内の粉末薬剤が空気と共に前記管（２ｇ，２ｄ，２ｃ）を介して装置外部へ噴射されるように構成され、
前記薬剤導出部（２）は、下部の円盤状部分と、該円盤状部分から上方に延びた柱状部分とが樹脂で一体成形されたものであり、前記開口手段（２ｆ）は円盤状部分を上下に貫通するように設けられ、前記管（２ｇ，２ｄ，２ｃ）は一端が該円盤状部分の下面（２ｅ）に開口すると共に他端が前記柱状部分の上端で開口していることを特徴とする粉末薬剤多回投与器。
【請求項２】
前記本体（１）は略円筒形であり、
前記薬剤導出部（２）の前記円盤状部分は、前記本体の薬剤貯蔵室（５ａ）の内径以下の径を有し、
該薬剤導出部（２）は充填位置と投与位置との間を所定の角度範囲内で回転移動するように構成されていることを特徴とする請求項１に記載の粉末薬剤多回投与器。
【請求項３】
前記本体（１）は、前記薬剤貯蔵部（５ａ）の上部にふた部（４）を更に具備し、該ふた部は中央に前記薬剤導出部（２）の柱状部分を通じさせるための軸穴（11）を有し、該ふた部、前記薬剤貯蔵部（５ａ）及び前記薬剤導出部（２）により、薬剤貯蔵室（５ａ）の密閉性を可能にしたことを特徴とする請求項１に記載の粉末薬剤多回投与器。
【請求項４】
前記薬剤導出部（２）の円盤状部分の底面（２ｅ）が薬剤貯蔵室（５ａ）の底面に接触し、且つ前記柱状部分に前記ふた部（４）の内面に接触するように設けた接合部（10）により、前記薬剤導出部（２）の上下位置が規制されると共に、前記薬剤導出部（２）の円盤状部分の底面（２ｅ）が薬剤貯蔵室（５ａ）の底面に対して密接されることを特徴とする請求項３に記載の粉末薬剤多回投与器。
【請求項５】
前記薬剤導出部（２）は、柱状部分の前記接合部（10）の上部に前記ふた部（４）の軸穴（11）に嵌合する円形断面の軸部（２ｊ）を有し、更にその上部に断面が非円形の軸部（２ｋ）を有し、
薬剤導出部（２）を充填位置と投与位置との間で移動させるための、装置外部より操作する前記手段は、回転式噴霧計量切替え装置（13）であり、該切替え装置（13）は前記薬剤導出部（２）の柱状部分の前記非円形断面の軸部（２ｋ）に嵌合する非円形穴（13ｃ）を有し、
前記薬剤導出部（２）は該切替え装置（13）の回転操作に連動して充填位置と投与位置との間を移動することを特徴とする請求項４に記載の粉末薬剤多回投与器。
【請求項６】
前記回転式噴霧計量切替え装置（13）は、径の大きな円筒部分（13ａ）と、径の小さな円筒部分（13ｂ）とが樹脂で一体成形されたものであり、
径の大きな円筒部分の外周が回転操作部を形成し、径の小さな円筒部分は内部に粉末薬剤の通過経路（２ｃ）を規定すると共に、基部に前記非円形穴（13ｃ）を有し、先端（２ｈ）は噴霧口を規定することを特徴とする請求項５に記載の粉末薬剤多回投与器。
【請求項７】
前記回転式噴霧計量切替え装置（13）は、前記本体（１）及び前記薬剤導出部（２）から着脱自在に形成されていることを特徴とする請求項６に記載の粉末薬剤多回投与器。
【請求項８】
前記薬剤導出部（２）の円盤状部分の底面（２ｅ）の中央部には中心穴（14）が設けられ、前記薬剤貯蔵室（５ａ）の底面中央には中心穴（14）に嵌合する軸としての突起（８）が設けられており、前記薬剤導出部（２）の回転を安定にすることを特徴とする請求項１に記載の粉末薬剤多回投与器。
【請求項９】
前記薬剤導出部（２）は円盤状部分の底面（２ｅ）に前記中心穴（14）を中心とする円弧状溝（12）を有し、薬剤貯蔵部（５ａ）は底面に該円弧状溝に挿入可能な突起（７）を有し、これらにより前記薬剤導出部（２）及び回転式噴霧計量切替え装置（13）の回転範囲が規制され、
該突起（７）が円弧状溝（12）の一端に位置するとき粉末薬剤の充填位置を規定し、他端に位置するとき粉末薬剤の投与位置を規定することを特徴とする請求項２に記載の粉末薬剤多回投与器。
【請求項１０】
前記薬剤導出部（２）は円盤状部分の底面における、前記開口手段（２ｆ）の中心と、前記管（２ｇ）の開口部の中心との角度（ｘ）は、円弧状溝（12）の一端から他端までの角度（ｙ）と同一又はごく僅かに小さく（ｘ≦ｙ）、60度〜 180度の範囲であることを特徴とする請求項２に記載の粉末薬剤多回投与器。
【請求項１１】
前記薬剤導出部（２）の前記柱状部分の外側に１枚又は複数枚の翼（２ｌ）を有し、該薬剤導出部（２）が充填位置と投与位置との間を移動することにより薬剤貯蔵室（５ａ）内の粉末薬剤を攪拌するように構成したことを特徴とする請求項２に記載の粉末薬剤多回投与器。
【請求項１２】
多回投与操作分の粉末薬剤を貯蔵可能な薬剤貯蔵室（５ａ）と該薬剤貯蔵室（５ａ）底面の下部に設けた単回投与操作分の粉末薬剤を収容可能な単一の薬剤収容部（５ｂ）とを樹脂で一体成形して構成した装置本体（１）と、
前記薬剤貯蔵室（５ａ）の底面との間で接触を保ちつつ充填位置と投与位置との間を移動可能で、充填位置にて開口手段（２ｆ）により前記薬剤収容部（５ｂ）を前記薬剤貯蔵室（５ａ）に対して開口し、投与位置にて前記薬剤収容部（５ｂ）を前記薬剤貯蔵室（５ａ）に対して閉鎖すると共に管（２ｇ，２ｄ）を介して前記薬剤収容部（５ｂ）を装置の外部へ連通させる薬剤導出部（２）と、
該薬剤導出部（２）を充填位置と投与位置との間で移動させるための、装置外部より操作する手段（13）と、
前記薬剤収容部（５ｂ）の底部に設けたフィルター（６）を介して該薬剤収容部に空気を送り込むことのできるポンプ部（３）と、を具備し、
前記薬剤導出部（２）は、充填位置にあるとき前記薬剤貯蔵室（５ａ）内の粉末薬剤が前記開口手段を介して前記薬剤収容部（５ｂ）内に充填可能とし、充填位置から投与位置へ移動する際、該薬剤収容部（５ｂ）内の粉末薬剤が単回投与操作分に摩り切り計量し、投与位置にて、前記ポンプ部（３）を操作することにより前記薬剤収容部（５ｂ）内の粉末薬剤が空気と共に前記管（２ｇ，２ｄ，２ｃ）を介して装置外部へ噴射されるように構成され、
前記薬剤導出部（２）の前記開口手段（２ｆ）は、円盤状部分を上下に貫通する穴（２ｆ）であり、且つ前記穴（２ｆ）は、前記円盤状部分の底面（２ｅ）における開口部から上方に延びていて、前記薬剤貯蔵室（５ａ）に面する側において、開口部の大きさが前記管（２ｇ）の開口部の側に大きくなっていて、ポケット状のくぼみ（２ｍ）を形成し、該くぼみが薬剤貯蔵室（５ａ）内の粉末薬剤を薬剤導出部（２）の充填・投与の切り替え動作中に前記薬剤収容室（５ｂ）へスムーズに運び込むように補助することを特徴とする粉末薬剤多回投与器。
【発明の詳細な説明】
【０００１】
【発明の属する技術分野】
本発明は、粉末体の定量供給装置に関する。本発明は、典型的な例として、粉末薬剤の多回投与器に適用することができる。
【０００２】
さらに詳しくは、本発明は、本体装置内に貯蔵された複数回投与操作分の粉末薬剤を微量の単回投与操作分の粉末薬剤に定量性よく分割秤量し、噴霧できる粉末薬剤多回投与器に関する。
【０００３】
本発明は、単回投与操作分の粉末薬剤を連続的にかつ精度良く分割されて、鼻腔、口腔、気管、気管支、肺胞などの体腔内もしくはその他の患部に噴霧または吸入投与する為の、衛生的で、携帯に便利で、かつ使用時の操作が簡便であり、また比較的安価な粉末薬剤多回投与器を提供するものである。
【０００４】
【従来の技術】
粉末状の薬剤が体腔、例えば鼻腔、口腔、気道などに噴霧あるいは吸入により投与されている。例えば、鼻アレルギーの患者に対し、粉末状の薬剤が鼻腔内に噴霧投与されているし、喘息の患者に対しては、吸入により気道に投与されている。また、口内炎の患者に対しては、口腔内に噴霧投与されている。さらに最近は、鼻腔、肺などの粘膜を通して薬物を全身血流に吸収させるドラッグデリバリーシステムが注目されており、粉末状の薬剤をそれらの粘膜へ投与することも試みられている。例えば、インスリン、カルシトニンなどのペプチド・蛋白質性薬物や、片頭痛薬などの即効性を必要とする薬物などは注射剤に代わる簡便な製剤として粉末状の経鼻剤もしくは吸入剤などの研究開発が実施され、経口剤などよりも吸収性の良好なことが多数報告されている。
【０００５】
このような粉末薬剤の投与においては、粉末状薬剤投与器が使用されるが、このような投与器は粉末薬剤の収容方式から次の２つに大別される。
【０００６】
第１として、単回投与操作分の量の粉末薬剤を一つの単位として投与器そのもの、もしくはカプセルなどの適当な容器に収納し、各投与操作により単回操作分の粉末薬剤のみ投与しうる、いわゆる単回投与器と呼ばれるものである。この中には、単回投与操作の度に廃棄可能なディスポーザブルタイプのものもある。
【０００７】
第２は、複数回（多回）の投与操作分の粉末状薬剤を適当な容器に集合して収納しており、その容器から単回操作分の粉末薬剤を分割し投与しうる、多回投与器と呼ばれるものである。
【０００８】
以下本発明では、粉末薬剤の単回投与操作分の量を「単回投与量」と、また複数回投与操作分の量を「多回投与量」という。
【０００９】
粉末薬剤の単回投与器の例としては、鼻腔内に噴霧投与を可能にするものとして、特開昭59−34267 号公報（特許文献１）などに公開されている。これらの投与器では、一般に粉末薬剤の単回投与量がカプセルなどの容器に収納されており、その容器の保持部、その容器を穿孔する手段、およびその容器から粉末薬剤を患者の鼻腔内などに噴霧する為の空気流の導入手段などが備えられている。さらに、ディスポーザブル単回投与器の例としては、特表平２−500172号公報（特許文献２）に、微粉末薬剤が封入され、かつその頭部には薬剤の噴霧または吸入用の開口部が形成されるように構成されている保持部と、空気導入手段とからなり、その保持部の底部が、薬物不透過性の通気性隔膜を介して空気導入手段と連設している投与器が公開されている。さらに WO 97／04826 号（特許文献３）明細書中には、これを改良した投与器が開示されている。
【００１０】
また、気道内に吸入される粉末薬剤の単回投与器としては多くのものが公開されている。例えば、薬学的に通常使用されるカプセルを用いる吸入用投与器である。このカプセルには、吸入されるべき単回投与量の粉末薬剤が、収容されており、それぞれの投与器によりこのカプセルを穿孔するそれぞれの手段を備えている。粉末薬剤は、カプセル穿孔後、使用者による吸引作用によって生ずる空気流により投与される。この際、吸入時の空気流とカプセルの状態にそれぞれの投与器に特徴があり、アメリカ特許第 3,906,950号公報（特許文献４）ならびに同第 4,013,075号公報（特許文献５）では、カプセルの両端を穿孔し、吸入時そのカプセルが静止した状態になるもの、また、同第 3,807,400号公報（特許文献６）には、吸入時にカプセルが移動するものを開示している。
【００１１】
一方、多回投与器の例としては、噴霧投与可能なものとして WO 94／26338 号（特許文献７）明細書が公開されている。同明細書には、装置本体と、その装置本体に着脱自在に取り付けられかつ薬剤の多回投与量を貯蔵可能な貯蔵室と、単回投与量分の容量をもった収容室を有し、充填位置にて貯蔵室と収容室を連通させ、その収容室の薬剤を投与可能にする為の装置本体に可動に取り付けられた薬物分配手段と、充填位置にてその収容室を通して貯蔵室へ空気を噴射して貯蔵室内の薬剤を攪拌するポンプ手段とを具備し、攪拌後の一定量の粉末薬剤をポンプ手段による吸引力もしくは重力によって、貯蔵室から収容室へ充填させることを特徴としている装置が開示されている。
【００１２】
さらには、鼻腔内用投与器の例としては、ヨーロッパ特許公開第 0744188号公報（特許文献８）に記されており、粉末薬剤を噴霧する為の空気流の手動式供給源と、多回投与量の粉末薬剤の貯蔵室と、粉末薬剤の流出管と、多回投与量の粉末薬剤を単回投与量に分配する為の設備とからなる鼻腔アプリケーターなるものを開示している。その粉末薬剤の設備は、ドラム型の粉末薬剤貯蔵室と、その内側に複数の単回投与量の薬剤を収容する収容室を備えた回転スリーブからなるものである。
【００１３】
また、気道内に吸入投与される粉末薬剤の投与器としては、ヨーロッパ特許公開第 0211595号公報（特許文献９）に記されているようなものがある。この投与器には、装置内部に円盤状のパックが充填されるようになっており、このパックには、その周囲に近い位置で一連の気泡が互いにそしてパックの中心から等距離に設けられている。これらの気泡には、一定量（単回投与量）の粉末状薬剤が収容される。このパックは、その中心線を中心として、回転自在な円形トレイに乗せられる。このトレイには、ここの気泡に対応する位置に穴が設けられており、ここの気泡が、適当な開封装置により破られる所定の位置に移動すると粉末状薬剤が取り出されて吸入できる仕組みになっている。
【００１４】
また、ヨーロッパ特許公開第 0069715号公報（特許文献10）には次の装置が記載されている。この投与器は、一定量の薬剤を収容した容器と、その容器内に収容した粉末薬剤を取り出し、投薬の準備を行える装置を備えている。この取り出し投薬準備装置は、所定の厚さを有し所定個の貫通孔を形成されたプレートからなる。このプレートは、貫通孔の一部が容器から取り出された粉末薬剤で機械的な手段により満たされる位置から、薬剤を満たされた穴が通路内に位置付けられるもう一つの位置に移動できる。使用者によってこの通路と連通する吸入口を介してもたらされる吸引の結果、空気が通路内に入り、貫通孔から粉末薬剤を取り出す。スクレイパー装置も設けて、プレートに形成した貫通孔内の粉末薬剤の容器の方を向いた側をならす。この明細書によれば、このスクレイパー装置により、貫通孔の完全な充填がもたらされ、したがって一定の服用量を保証できる。この明細書には、このスクレイパー装置は必ずしも必要でないと述べられているが、吸入投与器が適正な動作を行うには必須のものであると考えられる。なぜなら、このスクレイパーがないと服用量は極端に異なったものとなるからである。というのも、使用する粉末状薬剤は流動性に乏しいものが多く、ここの貫通孔が粉末薬剤によって完全に満たされないということが頻繁に起こりうるからである。
【００１５】
【特許文献１】
特開昭59−34267号公報
【特許文献２】
特表平２−500172号公報
【特許文献３】
国際公開 WO 97／04826号
【特許文献４】
アメリカ特許第3,906,950号
【特許文献５】
アメリカ特許第4,013,075号
【特許文献６】
アメリカ特許第3,807,400号
【特許文献７】
国際公開 WO 94／26338号
【特許文献８】
ヨーロッパ特許公開第0744188号
【特許文献９】
ヨーロッパ特許公開第0211595号
【特許文献１０】
ヨーロッパ特許公開第0069715号
【特許文献１１】
特開平３−18376号公報
【００１６】
【発明が解決しようとする課題】
上述のごとく、従来多くの投与装置が考案されているにもかかわらず、それぞれには課題が認められる。
【００１７】
例えば、単回投与器と多回投与器を比較した場合、利便性、市場性などの点から、多回投与器の方が望まれる傾向が強い。それは、単回投与器の場合、例えば特開昭59−34267 号公報（特許文献１）などのような装置では、単回投与量の薬剤が予め封入されているカプセルなどの容器が必要であり、またその装置内には、その容器を穿孔する手段が備わっている。そのため使用者は、各投与器の使用法にのっとって、粉末薬剤入りの容器を装着し、かつそれを穿孔するという作業を必要とする。これは、使用者にとって利便性が良いとはいえない。また、使用者は、投与に備え、投与装置とさらに粉末薬剤入りの容器を携帯する必要があり、これもまた利便性の点で問題がある。また、 WO 97／04826 号（特許文献３）明細書には、投与操作を簡素化したものが示されているが、この場合、複数回の投与を必要とする使用者は、複数個の単回投与量の薬剤が封入された投与器を必要とし、携帯性という点で問題が残っている。
【００１８】
一方、多回投与器の場合、上述の単回投与器の欠点である、利便性などは解決されているものの、別の重要な課題が存在する。すなわち、多量の集合した粉末薬剤から単回の投与操作に必要な粉末薬剤を連続的かつ定量的に分割して投与することは集合した粉末薬剤の密度の変化、偏りなどの物性の面から非常に困難である。
【００１９】
この課題に対し、これまでいくつかの考案がなされてきた。例えば、前述のヨーロッパ特許公開第 0069715号公報（特許文献10）に示されているごと、所定容量の貫通孔に連続的に粉末薬剤をスクレイパーなどで押さえながら満たす方法がある。しかし、この方法によっても例えば投与器全体に振動が加わることにより、粉末薬剤の嵩密度が変化し、所定の容量の貫通孔に充填される薬剤の実質的な量が変化してしまい、その結果生体に投与される薬剤量が一定にならなくなるという欠点がある。さらにヨーロッパ特許公開第 0744188号公報（特許文献８）でも、薬剤を定量的に分割する手段として、ドラム型の粉末薬剤貯蔵室と、その内側に複数の単回投与量の薬剤を収容する収容室を備えた回転スリーブからなるものを提示しているが、比較的複雑でかつ多数の部品とから形成され、成型のし難さやそれに伴うコスト高などが問題視されている。
【００２０】
また、特開平３−18376 号公報（特許文献11）には多量の集合した粉末薬剤を圧縮し、その結果生じた粉末薬剤圧縮体を連続的に定量分割して擦り剥がす多回投与器が示されている。この方法では、粉末薬剤を圧縮することにより分割する薬剤の定量性を確保しようとしているが、この方法においても投与器全体に振動が加わることにより、粉末薬剤圧縮体の嵩密度が変化し、その結果、擦り剥がされる粉末薬剤圧縮体の重量が変化してしまい、その結果生体に投与される薬剤量が一定にならなくなるという欠点がある。また、これらの粉末薬剤を均一に分割する為の手段は比較的複雑であり、実際に臨床使用する為には、成型のし難さやそれに伴うコスト高などの課題も併発している。
【００２１】
また、 WO 94／26338 号（特許文献７）明細書などの多回投与器は、各分割操作の直前に貯蔵室内の集合した粉末薬剤に空気流を通すことにより、集合した薬剤を貯蔵室内空間で移動させることにより粉末薬剤の密度の変化を防ぎ、単回投与量の粉末薬剤を吸引力および／または重力により粉末薬剤の収容室に収容することにより、連続かつ定量的に単回投与量の薬剤を分割かつ投与できるが、貯蔵部、単回投与量分の薬剤収容室、薬剤定量分割手段、ポンプ手段などから構成され、また粉末薬剤を密度の変化が生じないように移動させる為の十分なスペースが必要となる為に、複雑な部品を要しかつ携帯に不便な大きなサイズの投与器になることが課題としてあげられる。
【００２２】
また、粉末投与薬剤においては投与される薬剤が投与器から離れた際に薬剤を構成する粉末一次粒子に分散されて投与部位に沈着することが望ましい。しかし、粒子によっては保存中凝集をおこし二次粒子が生成し、一次粒子とは粒度分布がより大きい方に偏ることが知られている。従って粉末薬剤が投与器から離れる際には例え投与器内で貯蔵中に凝集を起こしても投与器の構造上の工夫で一次粒子にまで分散されることが望ましい。
【００２３】
また、薬剤収容室で定容積的に単回分の薬剤を分割する方式では、もし粉末薬剤のかさ密度が薬剤のロットによって異なる場合には分割される薬剤の重量が変化してしまうことになる。従って、薬剤のかさ密度の変化に対応して投与される薬剤の重量を調節することが出来ることが望ましい。
【００２４】
以上より、従来の粉末薬剤投与器は、投与薬剤量の定量性、小型化による携帯性、操作の簡便性、操作の迅速性、製造工程の簡易性、構成部品の単純性、製造に関する低コスト性、粉末薬剤粒子の分散性などの条件をすべて満たしているものはないのが現状である。
以上に説明した従来技術における問題点、ならびに課題に鑑み、本発明は以下のような粉末薬剤多回投与器を提供するものである。
【００２５】
すなわち、本発明の目的は、定量噴霧性、小型化（携帯性）、操作の簡便性・迅速性、製造工程の簡易性、粉末薬剤の分散性、物品の最少化、低コスト化等を兼ね備えた粉末薬剤多回投与器を提供することである。
【００２６】
【課題を解決するための手段】
すなわち、本発明は、多回投与操作分の粉末薬剤を貯蔵可能な薬剤貯蔵室と該薬剤貯蔵室底面の下部に設けた単回投与操作分の粉末薬剤を収容可能な単一の薬剤収容部とを樹脂で一体成形した構成した装置本体と、前記薬剤貯蔵室の底面との間で接触を保ちつつ充填位置と投与位置との間を移動可能で、充填位置にて開口手段により前記薬剤収容部を前記薬剤貯蔵室に対して開口し、投与位置にて前記薬剤収容部を前記薬剤貯蔵室に対して閉鎖すると共に管を介して前記薬剤収容部を装置の外部へ連通させる薬剤導出部と、該薬剤導出部を充填位置と投与位置との間で移動させるための、装置外部より操作する手段と、前記薬剤収容部の底部に設けたフィルターを介して該薬剤収容部に空気を送り込むことのできるポンプ部と、を具備し、前記薬剤導出部は、充填位置にあるとき前記薬剤貯蔵室内の粉末薬剤が前記開口手段を介して前記薬剤収容部内に充填可能とし、充填位置から投与位置へ移動する際、該薬剤収容部内の粉末薬剤が単回投与操作分に摩り切り計量し、投与位置にて、前記ポンプ部を操作することにより前記薬剤収容部内の粉末薬剤が空気と共に前記管を介して装置外部へ噴射されるように構成し、前記薬剤導出部は、下部の円盤状部分と、該円盤状部分から上方に延びた柱状部分とが樹脂で一体成形されたものであり、前記開口手段は円盤状部分を上下に貫通するように設けられ、前記管は一端が該円盤状部分の下面に開口すると共に他端が前記柱状部分の上端で開口していることを特徴とする粉末薬剤多回投与器である。
【００２７】
本発明によると、装置外部からの操作により薬剤導出部を容易に移動することができ、薬剤導出部が充填位置にあるとき、薬剤貯蔵室内の粉末薬剤が薬剤導出部に設けられた開口手段を介して薬剤収容部内へ落下して充填される。薬剤導出部を充填位置から投与位置へ移動する際に薬剤収容部内の粉末薬剤がこの薬剤収容部の容量に相当する単回操作分の分量に摩り切り計量される。その後は、薬剤収容部は自体により閉鎖される。薬剤導出部が更に移動して投与位置へ来ると、薬剤導出部の前記管の開口部が薬剤収容部と整合する位置となる。そこで、ポンプ部を操作することにより薬剤収容部内に空気が圧入され薬剤収容部内の粉末薬剤が空気と共に前記管を介して装置外部へ噴射される。
【００２８】
前記薬剤貯蔵室と前記薬剤収容部とは樹脂で一体成形されて装置本体を規定しているので、薬剤貯蔵室と薬剤収容部とを含む装置本体の構造を簡単にし且つ製造の容易なものとなる。
【００２９】
薬剤導出部の構造を樹脂の一体成形品とすることにより、開口手段及び管をこの薬剤導出部自体を使用して、粉末薬剤の充填及び投与の案内をすることが可能となる。
【００３０】
前記本体は略円筒形であり、前記薬剤導出部の前記円盤状部分は、前記本体の薬剤貯蔵室の内径以下の径を有し、該薬剤導出部は充填位置と投与位置との間を所定の角度範囲で回転移動するように構成されていることを特徴とする。これにより回転操作のみで薬剤導出部を充填位置と投与位置との間を切り替えが可能となる。
【００３１】
前記本体は、前記薬剤貯蔵部の上部にふた部を具備し、該ふた部は中央に前記薬剤導出部の柱状部分を通じさせるための軸穴を有し、該ふた部、前記薬剤貯蔵部及び前記薬剤導出部により薬剤貯蔵室の密閉性を可能にしたことを特徴とする。これにより薬剤貯蔵室の密閉性が確保され、不用意な粉末薬剤の漏れ等を防止することができる。
【００３２】
前記薬剤導出部の円盤状部分の底面が薬剤貯蔵室の底面に接触し、且つ前記柱状部分に前記ふた部の内面に接触するように設けた接合部により、前記薬剤導出部の上下位置が規制されると共に、前記薬剤導出部の円盤状部分の底面が薬剤貯蔵室の底面に対して密接されることを特徴とする。これにより薬剤導出部の円盤状部分の底面と薬剤貯蔵室の底面との密着が維持され、粉末薬剤の正確な計量と確実な動作が確保される。
【００３３】
前記薬剤導出部は、柱状部分の前記接合部の上部に前記ふた部の軸穴に嵌合する円形断面の軸部を有し、更にその上部に断面が非円形の軸部を有し、薬剤導出部を充填位置と投与位置との間で移動させるための、装置外部より操作する前記手段は、回転式噴霧計量切替え装置であり、該切替え装置は前記薬剤導出部の柱状部分の前記非円形断面の軸部（２ｋ）に嵌合する非円形穴を有し、前記薬剤導出部は該切替え装置の回転操作に連動して充填位置と投与位置との間を移動することを特徴とする。これにより、回転式噴霧計量切替え装置を装置外部から回転させるだけの操作で、薬剤導出部を充填位置と投与位置との間で切替えを行うことができ、容易な操作が確保される。
【００３４】
前記回転式噴霧計量切替え装置は、径の大きな円筒部分と、径の小さな円筒部分とが樹脂で一体成形されたものであり、径の大きな円筒部分の外周が回転操作部を形成し、径の小さな円筒部分は内部に粉末薬剤の通過経路を規定すると共に、基部に前記非円形穴を有し、先端は噴霧口を規定することを特徴とする。切替え装置の径の大きな円筒部分で切替え操作を行えるので操作が容易であり、また、径の小さな円筒部分は粉末薬剤の通過経路の一部を形成するので、粉末薬剤を装置の最先端の位置に噴霧口まで搬送することができ、粉末薬剤を患部の近くにて噴射することができる。
【００３５】
前記回転式噴霧計量切替え装置は、前記本体及び前記薬剤導出部から着脱自在に形成されていることを特徴とする。これにより切替え装置が本体及び薬剤導出部から、即ち投与器自体から取外して、洗浄等を行うことができ、また容易に投与器自体に装着することができる。
【００３６】
前記薬剤導出部の円盤状部分の底面の中央部には中心穴が設けられ、前記薬剤貯蔵室の底面中央には中心穴に嵌合する軸としての突起が設けられており、前記薬剤導出部の回転を安定にすることを特徴とする。これにより薬剤導出部の回転を安定にし、回転式噴霧計量切替え装置の回転操作も容易にすることができる。
【００３７】
前記薬剤導出部は円盤状部分の底面に前記中心穴を中心とする円弧状溝を有し、薬剤貯蔵部は底面に該円弧状溝に挿入可能な突起を有し、これらにより前記薬剤導出部及び回転式噴霧計量切替え装置の回転範囲が規制され、該突起が円弧状溝の一端に位置するとき粉末薬剤の充填位置を規定し、他端に位置するとき粉末薬剤の投与位置を規定することを特徴とする。
【００３８】
前記薬剤導出部は円盤状部分の底面における、前記開口手段の中心と、前記管の開口部の中心との角度（ｘ）は、円弧状溝の一端から他端までの角度（ｙ）と同一又はごく僅かに小さく（ｘ≦ｙ）、60度〜 180度の範囲であることを特徴とする。
【００３９】
前記薬剤導出部の円盤状部分の薬剤貯蔵室側の角度は、該円盤状部分の底面に対して15度〜45度の範囲で角度（α）で周辺部から中心部に向けて上方に傾斜していることを特徴とする。
【００４０】
前記薬剤導出部に設けた前記管は該薬剤導出部の底面に対して20度〜70度の範囲で角度（β，γ）で上方に傾斜していることを特徴とする。ポンプ部を操作して薬剤収容室内の粉末薬剤を噴射する際、粉末薬剤は管内を円滑に流れることが出来る。
【００４１】
また、本発明では、多回投与操作分の粉末薬剤を貯蔵可能な薬剤貯蔵室と該薬剤貯蔵室底面の下部に設けた単回投与操作分の粉末薬剤を収容可能な単一の薬剤収容部とを樹脂で一体成形した構成した装置本体と、前記薬剤貯蔵室の底面との間で接触を保ちつつ充填位置と投与位置との間を移動可能で、充填位置にて開口手段により前記薬剤収容部を前記薬剤貯蔵室に対して開口し、投与位置にて前記薬剤収容部を前記薬剤貯蔵室に対して閉鎖すると共に管を介して前記薬剤収容部を装置の外部へ連通させる薬剤導出部と、該薬剤導出部を充填位置と投与位置との間で移動させるための、装置外部より操作する手段と、前記薬剤収容部の底部に設けたフィルターを介して該薬剤収容部に空気を送り込むことのできるポンプ部と、を具備し、前記薬剤導出部は、充填位置にあるとき前記薬剤貯蔵室内の粉末薬剤が前記開口手段を介して前記薬剤収容部内に充填可能とし、充填位置から投与位置へ移動する際、該薬剤収容部内の粉末薬剤が単回投与操作分に摩り切り計量し、投与位置にて、前記ポンプ部を操作することにより前記薬剤収容部内の粉末薬剤が空気と共に前記管を介して装置外部へ噴射されるように構成し、前記薬剤導出部の前記開口手段は、円盤状部分を上下に貫通する穴であり、前記穴は、前記円盤状部分の底面における開口部から上方に延びていて、前記薬剤貯蔵室に面する側において、開口部の大きさが前記管の側に大きくなっていて、ポケット状のくぼみを形成し、該くぼみが薬剤貯蔵室内の粉末薬剤を薬剤導出部の充填・投与の切替え動作中に前記薬剤収容室へスムーズに運び込むように補助するように構成されたことを特徴とする粉末薬剤多回投与器である。
【００４２】
前記穴は、前記円盤状部分の底面における開口部から上方に延びていて、前記薬剤貯蔵室に面する側において、開口部の大きさが前記管の側に大きくなっていて、ポケット状のくぼみを形成し、該くぼみが薬剤貯蔵室内の粉末薬剤を薬剤導出部の充填・投与の切替え動作中に前記薬剤収容室へスムーズに運び込むように補助するように構成することも可能である。
【００４３】
ここで、くぼみの大きさであるが、薬剤貯蔵室の側に面する面積としては、前記穴の円盤状部分の底面に面する開口面積の 0.1倍から 2.5倍の範囲であり、 0.5倍から１倍の大きさを有する場合が、薬剤を回転式噴霧計量切替え装置の作動時に薬剤収容室へスムーズに運び込むことを補助する効果が高く好ましい。また、くぼみの深さは、前記穴の薬剤収容室側の開口径を変えなければどれほど深くても構わないが、実際は成形上の難易度もあり、こ穴の深さの10から80％、特に好ましくは50％である。
【００４４】
また、くぼみは、薬剤導出部円盤状部分の厚みを減らす意味も持ちあわせ、この厚みを減らすという事は、成形時に薬剤導出部の熱の変化による収縮や膨張の妨げに寄与し、本粉末薬剤多回投与器の特徴である精度の高い噴霧性の実現に貢献するものである。
【００４５】
前記薬剤導出部の前記柱状部分の外側に１枚又は複数枚の翼を有し、該薬剤導出部が充填位置と投与位置との間を移動することにより薬剤貯蔵室内の粉末薬剤を攪拌するように構成することも可能である。
【００４６】
ここで、薬剤導出部が有している翼とは、薬剤導出部と同一の材質で単一部品として成形されたものであるが、その形状や厚みは上記のごとく単一性形できる形であればどんなものでもかまわない。また、翼と導出部の薬剤通過経路の中心線とがなす角度は、平行すなわち０度から垂直すなわち90度のどの範囲でも構わないが、０度から45度にある事が、該切替え装置の回転作動時の薬剤の該薬剤貯蔵室内の攪拌効率が高く好ましい。また、翼を設ける場合その数は、１本よりも２本の方が、切替え装置の回転作動時の薬剤の薬剤貯蔵室内の攪拌効率が高く好ましい。
【００４７】
前記ポンプ部は、内部に空気室を規定するように少なくとも一部が可撓性の樹脂で構成され、該ポンプ部の開口部分が本体の下部に結合され、該ポンプ部を押圧・弛緩することにより空気室内部の空気を前記フィルターを介して前記薬剤収容室に吹きつけ、前記管を介して粉末薬剤を装置外部へ噴射できるように構成されていることを特徴とする。
【００４８】
フィルターは前記薬剤収容室に面した側に凹部又は凸部を有し、前記薬剤収容室の容積を調節可能とするように構成することも可能である。この場合は、フィルターの凹部又は凸部の大きさ、フィルタの向きを変えることにより、薬剤収容室の容積を自在に変更し、単回投与分の粉末薬剤の量を調整することができる。
【００４９】
該薬剤導出部がポリカーボネート、 ABS、ハイインパクトポリスチレン、および環状オレフィンコポリマーからなる群から選ばれる１種以上の高分子材料で成型されることを特徴とする。
【００５０】
また、装置の一部に乾燥剤を搭載すること、この粉末薬剤投与器をディスポーザブルなものとすること、また用途として、体腔内投与用、鼻腔内投与用、あるいは肺内吸入投与用とすることができる。
【００５１】
【発明の実施の形態】
本発明の粉末薬剤多回投与器（以下、投与器ということがある）は、
図３に示すふた部（４）と図２に示す薬剤貯蔵部（５）とからなる本体（１）、
該本体（１）に可動に取り付けられた、図４に示す薬剤導出部（２）、
該薬剤導出部（２）と連動して回転する先端に噴霧口（２ｈ）を有する、図６に示す回転式噴霧計量切替え装置（13）、
薬剤導出の為の手動の圧縮空気源となるその壁部の少なくとも一部が可撓性の容器ないし袋体で構成された、図７に示すポンプ部（３）、
該噴霧口（２ｈ）を収容する、図８に示す本体カバー（９）及び
薬剤収容室（５ｂ）を仕切る、図２及び図10に示すフィルター（６）
とからなり、以下（Ｉ）から（VI）までの特徴を有する。
（Ｉ）該本体（１）が、ふた部（４）と薬剤貯蔵部（５）とから構成され、該ふた部（４）はその中央に薬剤導出部（２）を該本体（１）に通じさせるための穴（11）を有し、該ふた部（４）、該薬剤貯蔵部（５）、ならびに該薬剤導出部（２）により薬剤貯蔵部（５ａ）内の密閉性を可能にする。
（II）該薬剤貯蔵部（５）が、その内部に多回投与操作可能な量の粉末薬剤を貯蔵可能な薬剤貯蔵室（５ａ）と、該薬剤貯蔵室の底面に単回投与操作分の粉末薬剤の容量をもった薬剤収容室（５ｂ）を有し、該薬剤収容室（５ｂ）の底面に空気を流通させるが粉末薬剤は流通させないフィルター（６）が装着されており、該フィルター部分が該ポンプ部（３）につながりをもった空気連絡口となり、薬剤導出の際該ポンプ部（３）を押圧・弛緩することにより空気が送り込まれる。
（III ）噴霧口（２ｈ）を有する回転式噴霧計量切替え装置（13）と該本体内中心部に位置する該薬剤導出部（２）とがともに連動して回転するように接続され、回転式噴霧計量切替え装置（13）は、該本体（１）の薬剤収容室（５ｂ）を通じ、該ポンプ部（３）から送り込まれる粉末薬剤と空気の通過経路（２ｃ）を中央に有し、容易に該本体（１）および薬剤導出部（２）から取り外すことができ洗浄が可能である。
（IV）該薬剤導出部（２）が、該本体（１）の薬剤収容室（５ｂ）を通じ、該ポンプ部（３）から送り込まれる空気と、粉末薬剤の通過経路（２ｄ）を有し、また該薬剤導出部（２）の底面（２ｅ）が該薬剤貯蔵部（５）の内径以下の円盤状の構造を有しており、該底面（２ｅ）は、該薬剤貯蔵室（５ａ）と、該薬剤収容室（５ｂ）を仕切る機能を有する。
（Ｖ）該薬剤導出部（２）の底面（２ｅ）の一部分には、該薬剤貯蔵室（５ａ）と該薬剤収容室（５ｂ）とをつなげるための、該薬剤収容室（５ｂ）よりも口径の大きい穴（２ｆ）と、該薬剤収容室（５ｂ）と該本体（１）の薬剤収容室（５ｂ）を通じ該ポンプ部（３）から送り込まれる粉末薬剤と空気の通過経路（２ｄ）とをつなげる為の管（２ｇ）を有している。
（VI）該薬剤導出部（２）を回転式噴霧計量切替え装置（13）に連動して回転することにより、まず該薬剤導出部（２）の底面（２ｅ）の穴（２ｆ）を該本体（１）の薬剤収容室（５ｂ）にあわせ、該薬剤貯蔵室（５ａ）と該薬剤収容室（５ｂ）をつなげることにより、該薬剤貯蔵室（５ａ）内の粉末薬剤が、該薬剤収容室（５ｂ）に充填され、次に該薬剤導出部（２）を回転式噴霧計量切替え装置（13）に連動して回転させることにより、該薬剤導出部（２）の底面（２ｅ）が該薬剤収容室（５ｂ）上の薬剤粉末を擦り切ることによって該薬剤収容室（５ｂ）内の粉末薬剤が一定量となり、さらに該薬剤導出部（２）を回転式噴霧計量切替え装置（13）に連動して回転させることにより、該薬剤収容室（５ｂ）、該管（２ｇ）、該通過経路（２ｄ）、および該噴霧口（２ｈ）とがつながり、該ポンプ部（３）より空気を送り込むことによって一定量に秤量された薬剤粉体が該回転式噴霧計量切替え装置（13）の噴霧口（２ｈ）より噴霧される。
【００５２】
本発明の投与器は、例えば次のように組み立てることができる。
【００５３】
まず、フィルター（６）を本体（１）の底部外側に設置された薬剤収容室（５ｂ）に外側から押し込んで設定位置に設置する（図２の状態）。設定位置は本体（１）成型時に薬剤収容室（５ｂ）に段差を設けることによって規定される。ついで、薬剤導出部（２）をとり、該薬剤導出部底面（２ｅ）に設置された円弧状の溝（12）が該薬剤貯蔵室（５ａ）の内部底面に設置された突起（７）に収納されるような位置で薬剤貯蔵部（５）内へ挿入し、薬剤導出部（２）の底面（２ｅ）の中心の穴（14）を本体内部底面の中心にある突起（８）に挿入して固定する。ここで粉末薬剤の多回投与操作の必要量を本体（１）内薬剤貯蔵室（５ａ）に装填する。ついで、ふた（４）をとり中心の穴（11）に導出部（２）を通して本体（１）に密着させて固定する。ついで、噴霧口（２ｈ）を有する回転式噴霧計量切替え装置（13）をとり、導出部（２）の先端を回転式噴霧計量切替え装置（13）導出部の軸とあわせることで本体（１）に固定する。次にポンプ部（３）をとり本体（１）下部に接続して固定し、最後に本体カバーを噴霧口（２ｈ）を覆うように本体（１）に接続して本投与器を完成する。
【００５４】
次に本発明の構成部品の材料について記載する。
【００５５】
本体（１）、薬剤導出部（２）、回転式噴霧計量切替え装置（13）、ふた部（４）、および本体カバー（９）は通常、ポリエチレン、ポリスチレン、ポリプロピレン、スチレン・アクリロニトリルポリマー（AS）、アクリロニトリル・ブタジエン・スチレンポリマー(ABS）、ポリカーボネート、ハイインパクトポリスチレン、および環状ポリオレフィンコポリマー等からなる群から選ばれる１種以上のポリマーで成型されるのが好ましいが、これらによって限定されるものではない。
【００５６】
なかでも、薬剤導出部（２）と本体（１）との密着性を高めるためには薬剤導出部（２）はアクリロニトリル・ブタジエン・スチレンポリマー(ABS）、ポリカーボネート、ハイインパクトポリスチレン、および環状ポリオレフィンコポリマー等からなる群から選ばれる１種以上のポリマーから成型されるのが望ましい。
【００５７】
本発明の薬剤収容室（５ｂ）の一端に設けられるフィルター（６）としては、粉末薬剤を構成する薬物及び賦形剤（薬物のみの場合もある）の粒子の大きさに応じて、適宜篩い用網、およびメンブランフィルター等を用いることができる。例えば鼻腔内噴霧用であれば目開き50μｍ以下のメンブランフィルター、篩い用の網が用いられ、それらの孔径は、好ましくは 0.5〜38μｍ、さらに好ましくは１〜25μｍであり、気道内噴霧用であれば目開き１μｍ以下のメンブランフィルターが用いられる。該篩い用網としては例えばナイロン、ステンレス製等のものが、該メンブランフィルターとしては例えばポリエチレン、ポリプロピレン、コットン、レーヨン、グラスファイバー、焼結フィルター製等のものがあげられる。
【００５８】
本発明のポンプ部（３）は、粉末薬剤を（噴霧ないし吸入）投与するのに必要な空気を押圧するための要素であるが、かかるポンプとしては可撓性材料又は壁部の少なくとも一部が可撓性材料から形成されるものが好ましい。ここで、少なくとも一部が可撓性材料からなるとは、可撓性材料からなる部分を押圧・弛緩することによって、薬剤収容室（５ｂ）に収容された粉末薬剤を噴霧、吸入可能ならしめる機能を有することを意味する。該ポンプ部（３）の全体をかかる可撓性材料で構成する場合や、あるいは例えば該ポンプ部（３）のうち該本体（１）との接合部付近をのぞく部分を可撓性材料で構成し、それ以外は非可撓性材料で構成する場合も含まれる。
【００５９】
そのような可撓性材料としては、例えばポリエチレン、およびポリプロピレン等の弾性を有するプラスチック及び天然或いは合成ゴム等があげられる。
【００６０】
本発明で使用する粉末薬剤は、例えば薬物と、乳糖、デンプン、セルロース類、ポリビニルポリマー等従来公知の賦形剤とから構成することもできるし、或いは、薬物単独で構成することもできる。また、必要に応じて従来公知の安定剤、酸化防止剤、等の添加物を適宜加えることもできる。
【００６１】
本発明の薬物としては、幅広く種々の薬物について利用可能である。その具体例としては、消炎ステロイドまたは非ステロイド系消炎薬、鎮痛消炎薬、鎮静剤、鬱病治療薬、鎮咳去痰薬、抗ヒスタミン薬、抗アレルギー薬、制吐薬、睡眠導入薬、ビタミン剤、性ステロイドホルモン薬、抗腫瘍薬、抗不整脈薬、高血圧薬、抗不安薬、向精神薬、抗潰瘍薬、強心薬、鎮痛薬、気管支拡張薬、肥満治療薬、血小板凝集抑制薬、糖尿病薬、筋弛緩薬、片頭痛薬および抗リウマチ薬等の非ペプチド・蛋白質性薬物を挙げることができる。さらには、ホルモン類、サイトカイン類、抗体類、ワクチン類などのペプチド・蛋白質性薬物や、アンチセンスや遺伝子などの核酸類などのその具体例として挙げることができる。
【００６２】
非ペプチド・蛋白質性薬物としては、これらからなる群より選ばれる１種または２種以上のものを用いることができる。なかでも、制吐薬、睡眠導入薬、ビタミン剤、性ステロイドホルモン薬、片頭痛薬および鎮痛薬からなる群より選ばれる１種または２種以上のものを好ましいものとして挙げることができる。
【００６３】
そのような非ペプチド・蛋白質性薬物として詳しくは、例えばヒドロコルチゾン、プレドニゾロン、トリアムシノロン、デキサメタゾン、ベタメタゾン、ベクロメタゾン、フルチカゾン、モメタゾン、フルオコルチン、ブデソニド、サルブタモール、サルメテロールなどの消炎ステロイドまたは非ステロイド系消炎薬；アセトアミノフェン、フェナセチン、アスピリン、アミノピリン、スルピリン、フェニルブタゾン、メフェナム酸、フルフェナム酸、イブフェナック、イブプロフェン、アルクロフェナック、ジクロフェナック、インドメタシンなどの鎮痛消炎薬；スコポラミンなどの鎮静剤；イミプラミンなどの鬱病治療薬；クロモグリク酸ナトリウム、リン酸コデイン、塩酸イソプロテレノール等の鎮咳去痰薬；ジフェンヒドラミン、トリプロリジン、イソチペンジル、クロルフェニラミン等の抗ヒスタミン薬；アンレキサノクス、アゼラスチン、オザクレル、トラニラスト、ケトチフェン等の抗アレルギー薬、オンダンセトロン、グラニセトロン、メトクロプラミド、シサプリド、ドンペリドン等の制吐薬；ブロチゾラム、メラトニン等の催眠導入薬；シアノコバラミン、メコバラミン等のビタミン剤；エストラジオール、エストリオール、プロゲステロン、テストステロン等の性ステロイドホルモン薬；タモキシフェン、テガフール等の抗腫瘍薬；プロプラノロール、アテノロール等の抗不整脈薬；ニカルジピン等の高血圧薬；ジアゼパム等の抗不安薬；ニトラゼパム等の向精神薬；シメチジン、ラニチジン等の抗潰瘍薬；ドパミン等の強心薬；モルヒネ、ブプレノルフィン等の鎮痛薬；オキシトロピウム、オザクレル等の気管支拡張薬；マジンドール等の肥満治療薬、ベラプロスト、カルバシクリン等の血小板凝集抑制薬；アカルボース、ソルビニール等の糖尿病薬；ピナベリウム、イナペリゾン等の筋弛緩薬；エルゴタミン、イミグラン、アルニジタンなどの片頭痛薬；アクタリット、プラトニン等の抗リウマチ薬等からなる群より選ばれる１種または２種以上の非ペプチド・蛋白質性薬物を挙げることができる。
【００６４】
またペプチド・蛋白質性薬物としては、例えば黄体形成ホルモン放出ホルモン類、成長ホルモン放出因子類、ソマトスタチン誘導体類、バゾプレッシン類、オキシトシン類、ヒルジン誘導体類、エンケファリン類、副腎皮質刺激ホルモン誘導体類、ブラジキニン誘導体類、カルシトニン類、インシュリン類、グルカゴン誘導体類、成長ホルモン類、成長ホルモン放出ホルモン類、黄体形成ホルモン類、インシュリン様成長因子類、カルシトニン遺伝子関連ペプチド類、心房性ナトリウム利尿ペプチド誘導体類、副甲状腺ホルモン類、副甲状腺ホルモン放出ホルモン、プロラクチン、甲状腺刺激ホルモン放出ホルモン、アンギオテンシン類、インターフェロン類、インターロイキン類、エリスロポエチン、顆粒球コロニー形成刺激因子、及びマクロファージ形成刺激因子、等のホルモン類、サイトカイン類等を挙げることができる。これらのペプチド・蛋白質性薬物としては、上記の具体例からなる群から選ばれる１種または２種以上のものを用いることができる。
【００６５】
またワクチン類としては、百日咳ワクチン、ジフテリアワクチン、破傷風ワクチン、インフルエンザワクチンなどが挙げられる。
【００６６】
次に本発明の構成部品の寸法、および容積等について記載する。
【００６７】
本発明の本体（１）の内部空間である薬剤貯蔵部（５）の容積は操作性がよくかつ可能な限り最小となるように設定される。より詳しくは、薬剤貯蔵部（５）内部底面上の突起（７および８）、薬剤収容室（５ｂ）の開口部、薬剤導出部（２）などの大きさ、接続されるポンプ部（３）の大きさとその接続方法、回転式噴霧計量切替え装置（13）の操作部分（指をあてて回転式噴霧計量切替え装置（13）を回転させるための部分）の大きさや貯蔵される薬剤の量によって規定される。
【００６８】
本発明の投与器に貯蔵される薬剤の量は薬剤の種類によって異なるが、例えば片鼻腔に１回15mgの粉末薬剤を両鼻腔に１回ずつ１日２回投与するとした場合（４回／日）、２週間分貯蔵するとなると粉末薬剤量（重量）は15×４×14＝ 840mgとなる。粉末薬剤のかさ密度を 0.6とすると容積は 1.4mlとなる。従って本体（１）の内部を深さ25mm、直径16mmの容積（約５ml）をもたせておけば内部に収容される薬剤導出部（２）とふた部（４）との接合部（10）を考慮しても該薬剤を十分に貯蔵できることとなり小型の投与器となることがわかる。
【００６９】
また、該本体（１）内部の薬剤収容室（５ｂ）の容積は、それぞれ１回使用量の粉末薬剤の体積及び必要とされる投与可能回数に応じて適宜定めることができる。通常使用される粉末薬剤の見掛け比重が約 0.1〜3.0 であり、また粉末薬剤の一回の使用量が約５〜200 mgであることを考慮すると、該薬剤収容室（５ｂ）の体積は約２〜2000mm3  である。
【００７０】
該薬剤収容室（５ｂ）の容積は、フィルター（６）に容積の異なる凹部もしくは凸部を設けることによって調節することができる。該凹部や該凸部の容積を粉末薬剤のかさ密度に応じて調節することにより、粉末薬剤のかさ密度の変化に応じて定量・分割される薬剤の重量を調節することができる。尚、凹部および凸部の形状は特に限定されないが例えば円柱、円錐、あるいは半球等を挙げることができる。図９および図10に示す例ではフィルター（６）に設ける凸部６ａの形状を円柱状としている。
【００７１】
本発明のポンプ部（３）の大きさは、該ポンプ部（３）を１〜数ないし10回押圧することによって、例えば該薬剤収容室（５ｂ）に収容されている粉末薬剤をほとんど全部排出できる程度の空気の排出量を有するものが好ましい。
【００７２】
さらに本発明の詳細を記載する。
【００７３】
本発明の投与器は、薬剤貯蔵室（５ａ）内の薬剤を、回転式噴霧計量切替え装置（13）に連動して薬剤導出部（２）を回転させることにより薬剤収容室（５ｂ）に収納し、さらに該薬剤導出部（２）を逆方向に回転させることにより擦り切って単回投与分の薬剤を該薬剤収容室（ｂ）内に分離することにより、スクレイパーなどの特殊な装置を使用せずに、また保存中に起こり得る粉末薬剤のかさ密度の変化や偏りに対しては空気を流通させて密度変化を防ぐなどの手段なしに、薬剤貯蔵室（５ａ）内に貯えられた複数回投与分の粉末薬剤から単回投与分の薬剤を簡単にかつ正確に分離・定量することができる。この際、
（あ）ふた部（４）を本体（１）に装着することにより薬剤導出部（２）を薬剤貯蔵室（５ａ）に密着させ該薬剤導出部（２）と該薬剤貯蔵室（５ａ）との隙間からの薬剤のロスをなくしたこと、また薬剤貯蔵室（５ａ）内が密閉されるため薬剤粉末の物理的性状が変化しにくいこと、
（い）（あ）で述べた密着された状態で若干の抵抗をもって該薬剤導出部（２）を回転させることにより粉末薬剤に適度な振動を与え粉末薬剤の密度変化を防いでいること、
（う）該薬剤導出部（２）の底面（２ｅ）に設置された、薬剤貯蔵室（５ａ）と薬剤収容室（５ｂ）とをつなぐ穴（２ｆ）が該薬剤収容室（５ｂ）よりも口径を大きくすることにより薬剤の該薬剤収容室（５ｂ）への収容をより確実としたこと、
（え）該薬剤導出部（２）の該薬剤貯蔵室（５ａ）側の面（２ｉ）に該薬剤導出部（２）の底面（２ｅ）に対して角度（α）をもたせ、該薬剤導出部（２）が回転する場合の粉末に適度の振動、運動を与えて流動性を増加させ、該薬剤収容室（５ｂ）への収容を確実としたこと、
などが薬剤収容室（５ｂ）に収容される粉末薬剤の量の均一性に寄与している。
【００７４】
本発明の投与器において、部品数を少なくしたことは装置全体の最小化に寄与していることはいうまでもないが、この他例えば通過経路（２ｄ）が薬剤導出部（２）の軸の中心に設置されていることなどが投与器全体の寸法（高さ）の最小化に寄与しており、携帯にも適する大きさとなっている。
【００７５】
本発明の投与器は該薬剤導出部（２）の底面（２ｅ）に円弧状の溝（12）を有し、かつ該薬剤貯蔵室（５ａ）内部底面に該溝（12）に挿入可能な突起（７）を有し、これらにより該回転式噴霧計量切替え装置（13）の回転が制御され、かつ該溝（12）の最端部に該突起（７）がきたときに、該薬剤導出部（２）の底面（２ｅ）の穴（２ｆ）と該本体（１）の薬剤収容室（５ｂ）が重なって該薬剤収容室（５ｂ）に粉末薬剤が充填され、また該溝（12）の反対側の最端部に突起がきたときに該薬剤導出部（２）の管（２ｇ）と、該薬剤収容室（５ｂ）が連接して該薬剤収容室（５ｂ）内の粉末薬剤が噴霧可能な状態になるため操作しやすい。さらに薬剤を充填する回転式噴霧計量切替え装置（13）の回転の幅の一端に充填位置、他端に噴霧位置などと表示することによって、より操作しやすくなり誤操作を防ぐことになるので好ましい。
【００７６】
また、該円弧状の溝（12）もしくは該溝（12）に挿入可能な突起（７）の一部分以上に凹凸など、該溝（12）に該突起（７）を挿入して使用する際に、該溝（12）の両端を確認できるようなロック様のしくみを持たせることにより、充填位置と噴霧位置を認識しやすくすることができる。さらに、この様なロック様のしくみを操作する際に生じる適度の振動が、粉末薬剤に適度の振動、運動を与えて流動性を増加させ、該薬剤収容室（５ｂ）への薬剤の収容を確実にし、かつ定量性を上げることができる。
【００７７】
本発明の薬剤導出部（２）の底面（２ｅ）に設置された、薬剤貯蔵部（５ａ）と該薬剤収容室（５ｂ）をつなげるための該薬剤収容室（５ｂ）よりも口径の大きい穴（２ｆ）の中心と、該管（２ｇ）の中心との角度（ｘ）は、円弧状の溝（12）の角度（ｙ）と同一又はわずかに小さい（ｘ≦ｙ）で、60度− 180度の範囲であることが好ましい。より好ましくは約90度− 120度の範囲である。
【００７８】
本発明の薬剤導出部（２）の薬剤貯蔵室（５ａ）側の面（２ｉ）は、該薬剤導出部（２）の底面（２ｅ）に対し15度−45度の範囲の角度（α）で中心部から周辺部へ向けて下方へ傾斜していることが、薬剤定量性の点で好ましい。より好ましくは25度から35度の範囲である。また該薬剤導出部（２）の管（２ｇ）は底部から上方に向けて通路断面積が徐々に小さくなっていて、該薬剤導出部（２）の底面（２ｅ）に対して20度−60度の範囲の角度（β，γ）を有することが、薬剤分散性の点で好ましい。なお、角度（β）は薬剤導出部（２）の周辺側の管（２ｇ）の内壁の角度で、角度（γ）は中心寄りの管（２ｇ）の内壁の角度である。何れ（β，γ）もより好ましくは25度から40度の範囲である。
【００７９】
本発明の投与器には、粉末薬剤を湿気によるかさ密度の変化等を回避したり、薬剤噴霧時の分散性を維持するため必要に応じて通常用いられる乾燥剤を搭載することができる。
【００８０】
本発明の投与器は、ディスポーザブルであってもよい。
【００８１】
本発明の投与器によって粉末薬剤を投与することが可能な部位は特に制限されないが、例えば鼻腔あるいは肺などの体腔を挙げることができる。
【００８２】
以下、本発明を添付の図面に基づく実施例により説明するが、本発明がこれによって限定されるものではない。
【００８３】
【実施例】
〔実施例１〕
図１は本発明の粉末薬剤多回投与器の全体構成を示す断面図である。直径 3.5mm、深さ 3.3mmの薬剤収容室（５ｂ）を有する、薬剤貯蔵室（５）の内径が15mmの、図２に示す円筒状の本体（１）を環状オレフィンコポリマーで成型加工し製造した。また、噴霧口（２ｈ）の直径が４mm、ふた部（４）と本体（１）とに接続する内径18mmの底部を有する、図６に示す回転式噴霧計量切替え装置（13）をポリプロピレンで成型加工して製造した。また、底面が直径15mmの円盤状であり、回転式噴霧計量切替え装置（13）に接続される柱状部分の高さが27.5mmである、図４に示す薬剤導出部（２）を環状オレフィンコポリマーで成型加工して製造し本体に取り付けた。薬剤導出部（２）では、底面（２ｅ）に設けた溝（12）の角度（ｙ）及び穴（２ｆ）と管（２ｇ）それぞれの中心間の角度（ｘ，ｙ）をそれぞれ 115度とした。また、面（２ｉ）の底面（２ｅ）に対する角度（α）は30度、管（２ｇ）の底面（２ｅ）に対する角度は、外側（β）が35度、内側（γ）が40度とした。また、薬剤導出部（２）の先端（10）が挿入される直径 5.0mmの穴（11）を有する、図３に示すふた部（４）をポリプロピレンで成型加工し製造した。次いで、該本体部（１）に目開き５μｍのポリプロピレン製のメンブレンフィルター（６）とポリエチレン製のポンプ部（３）を取り付け、該薬剤貯蔵部（５）に粒子径が38〜150 μｍの粉末薬剤を、1000mg充填し、該本体（１）に該ふた部（４）を挿入した後、回転式噴霧計量切替え装置（13）を本体（１）に取り付け、最後に噴霧口（２ｈ）にポリプロピレン製の本体カバー（９）を被せ（装置全体としての高さは約85mm、直径は約24mm）、本発明の投与器とした。
【００８４】
〔対照例１〕
実施例１では本体（１）と薬剤導出部（２）とを環状オレフィンコポリマーで成型加工したが、これら２種の部品をポリプロピレンで成型加工し他は実施例１と同一に製造して対照例１とした。これら実施例１及び対照例１に、粒度が49−150 ミクロンのヒドロキシプロピルセルロース（99.8％）とステアリン酸マグネシウム(0.2％）とからなる混合粉体（かさ密度＝0.50）を１ｇとり薬剤貯蔵部（５）に入れた。回転式噴霧計量切替え装置（13）を充填位置及び噴霧位置と交互に往復させ噴霧位置でポンプを押圧することにより連続的に該混合粉体を噴霧し、投与器の全重量を毎回測定することにより単回投与分の噴霧量を記録した。30回にわたって噴霧した結果、実施例１では平均16.7mg（CV＝ 2.2％）というきわめて安定して均一な噴霧量であり回転式噴霧計量切替え装置（13）の往復運動もスムーズで問題はなかった。一方対照例１では平均16.0mg（CV＝ 2.8％）という実施例１とほぼ同程度の噴霧均一性ではあったが、20回目あたりから回転式噴霧計量切替え装置（13）の往復運動に抵抗があった。30回噴霧が終わった状態で１日放置すると回転式噴霧計量切替え装置（13）は回転しなくなった。また、本体内部底面と薬剤導出部（２）との間に混合粉体が認められた。これらの事実は対照例１の本体（１）と薬剤導出部（２）との寸法に成型に使用した高分子材料に基づく誤差が生じたためと推察された。
【００８５】
〔実施例２−４、対照例２〕
本体（１）と薬剤導出部（２）とを、それぞれポリカーボネート、 ABS、およびハイインパクトポリスチレンで成型加工し、その他は実施例１と同様に製造した実施例２−４、及び本体（１）と薬剤導出部（２）とをポリエチレンで成型加工しその他は実施例１と同様に製造した対照例２の４種につき対照例１の項に記載したのと同様の方法で試験した。対照例２では対照例１と同じ、実施例２−４では実施例１とほぼ同じ結果が得られた。
【００８６】
〔実施例５−６、対照例３−４〕
実施例１の角度β，γはそれぞれ35, 40度に保ったまま、角度αを０度から50度まで変化させた実施例５−６、対照例３−４について（表１参照）、実施例１と同じ噴霧試験をした結果を表１に示す。角度αが15−45度の範囲で良好な噴霧性を示すことがわかる。
【００８７】
【表１】
0004020589.tif 000002
【００８８】
〔実施例７−９、対照例５−７〕
実施例１の角度αは30度に保ったまま、角度β，γを15度から90度まで変化させた実施例７−９、対照例５−７（表２参照）について、単回で噴霧される量及び噴霧口（２ｈ）から出る粉末薬剤の粒度分布をレーザー回折式粒度分布測定器で測定し、粒径 300ミクロン以上の分画（凝集分）を測定した。結果を表２に示す。対照例５，７では噴霧量の減少が、対照例６では粒子の分散性悪化が認められる。
【００８９】
【表２】
0004020589.tif 000003
【００９０】
〔実施例10−13〕
フィルター（６）の凹凸による単回噴霧量の制御
表側（凸面）の容積が0.00335cm3で、裏面がフラット（凹凸なし）のフィルターＡと、表側（凸面）の容積が0.00670cm3で、裏面（凹面）の容積が0.00335cm3であるフィルターＢを薬剤収容室（５ｂ）の容積が0.0314である本発明の一例である薬剤多回投与器にそれぞれ表面、裏面で接着し、薬剤粉体の噴霧試験を行った。すなわち、フィルターＡの表面を薬剤収容室（５ｂ）に向け装着した場合（実施例10）、収容室の容積は0.0314−0.00335 ＝0.02805cm3となり、同様にフィルターＡの裏面を薬剤収容室（５ｂ）に向け装着した場合（実施例11)0.0314cm3、フィルターＢの表面を薬剤収容室（５ｂ）に向け装着した場合（実施例12）、収容室の容積は0.0314−0.00670 ＝0.02470cm3となり、同様にフィルターＢの裏面を薬剤収容室に向け装着した場合（実施例13) 0.0314＋0.00335 ＝0.03475cm3となる。
【００９１】
これらの場合に、薬剤粉体 650mgを薬剤貯蔵室に充填し、各ｎ＝６で噴霧した場合の平均噴霧量およびCV％を表３に示す。
【００９２】
【表３】
0004020589.tif 000004
【００９３】
【発明の効果】
かくして本発明は、携帯に便利で、使用時の操作が簡便で、一定の分量の粉末薬剤を正確に噴霧・吸入投与可能で、且つ比較的安価な粉末薬剤多回投与器を提供できるという優れた効果を奏するものである。
【００９４】
本発明は、特に一回の使用量が微量の粉末薬剤の複数回分の量を容器内に収納した投与器として適している。
【図面の簡単な説明】
【図１】  実施例における本発明の粉末薬剤多回投与器を示す断面図である。
【図２】  本体（１）の内、薬剤貯蔵部（５）を示す断面図である。
【図３】  本体（１）の内、ふた部（４）を示す断面図である。
【図４】  薬剤導出部（２）の全体を示す断面図である。
【図５】  薬剤導出部（２）の底部を示す図である。
【図６】  回転式噴霧計量切替え装置（13）を示す断面図である。
【図７】  ポンプ部（３）を示す断面図である。
【図８】  本体カバー（９）を示す断面図である。
【図９】  円柱状の突起を設けたフィルター（６）を含む薬剤収容室（５ｂ）を示す断面図である。
【図１０】  円柱状の突起を設けたフィルター（６）の一例を示す斜視図である。
【図１１】  薬剤導出部（２）の底面付近の図で、管（２ｇ）の角度を示す。
【図１２】  薬剤導出部（２）の底面付近の図で、管（２ｇ）の向きを変えた場合を示す。
【図１３】  薬剤導出部（２）の底面付近の図で、管（２ｇ）の角度を変えた場合を示す。
【図１】
0004020589.tif 000005
【図２】
0004020589.tif 000006
【図３】
0004020589.tif 000007
【図４】
0004020589.tif 000008
【図５】
0004020589.tif 000009
【図６】
0004020589.tif 000010
【図７】
0004020589.tif 000011
【図８】
0004020589.tif 000012
【図９】
0004020589.tif 000013
【図１０】
0004020589.tif 000014
【図１１】
0004020589.tif 000015
【図１２】
0004020589.tif 000016
【図１３】
0004020589.tif 000017
0004020589.tif 000018
0004020589.tif 000019